(57)【特許請求の範囲】
【請求項１】
基材上に感圧接着層を有する転写式感圧接着テープを供給するための供給リールと、該感圧接着テープを被転写体に押圧し感圧接着層を転写させるためのヘッドと、転写後の感圧転写層と分離された基材を巻き取るための巻き取りリールとからなる手持ち型の転写式感圧接着テープ転写具において、基材の厚みが５〜３８μｍであり
、基材の両面に厚み０．１〜２μｍの離型層を設け、片面の離型層の上に前記感圧接着層を設け、感圧接着層の厚みが１０〜４０μｍであり、平均粒子径０．３〜２μｍの無機または有機の粒子を１〜９重量％含有することを特徴とする手持ち型の転写式感圧接着テープ転写具。
【発明の詳細な説明】
【０００１】
【発明の属する技術分野】
本発明は、手持ち型の転写具によって紙面などに押しつけられることにより感圧接着層が紙面などの被転写体に転写されて、当該被転写体と他の物品を糊付けすることができる手持ち型の転写式感圧接着テープ転写具に関する。
【０００２】
【従来の技術】
近年、取り扱いの容易さから両面接着テープやスティック糊に替わって転写式感圧接着テープが注目を集めている。
【０００３】
この種の転写式感圧接着テープとしては、有機高分子フィルムや紙などの基材の片面に感圧接着層を設けた構造のものが知られている。この転写式感圧接着テープは手持ち型の転写具に装着して使用されている。
【０００４】
図１は転写式感圧接着テープを装着した手持ち型の転写具の１例を示す概略図である。１は転写式感圧接着テープであり、基材２上に感圧接着層３を設けたものである。転写具の主要構成要素は、転写式感圧接着テープ１を巻き回した供給リール１０と、基材２の巻き取りリール１１と、転写式感圧接着テープ１を紙などの被転写体１３に押圧し、感圧接着層３を転写するための、クサビ形状や円筒形状のヘッド１２とからなる。なお図１においては、供給リール１０、巻き取りリール１１を駆動するためのギヤ機構、供給リール１０、巻き取りリール１１をセットして転写具に装着するためのカートリッジ、ケース本体などは省略されている。
【０００５】
転写具を矢印Ａの方向に被転写体１３上を移動させると、転写式感圧接着テープ１が引き出されヘッド１２で押圧されることにより、感圧接着層３が基材２より剥離されるとともに被転写体１３上に接着されていく。一方、感圧接着層３と分離した基材２は巻き取りリール１１に巻き取られる。感圧接着層３の所定長が転写された後、転写具を被転写体１３の表面から引き上げ、感圧接着層３を切断することによって、転写作業が終了する。
【０００６】
しかしながら、従来の転写式感圧接着テープにおいては、感圧接着層のキレ性が悪く、感圧接着層３の転写が終了した後、転写具を被転写体１３の表面から引き上げた際に、図２に示されるように、感圧接着層３が切断されずに、被転写体１３の表面に転写された感圧接着層３と、転写具１４の側の感圧接着層３との間で粘着剤が糸４を引く現象（以下、糸引き現象という）が発生し、転写作業に支障を来す場合があった。
【０００７】
従来においては、感圧接着層のキレ性を向上させて糸引き現象を防止するために、アクリレートベースの粘着剤にアルギン酸を分散させたり（特開平５−２３９４１３号公報）、あるいは粘着剤を架橋させることが提案されている。また、感圧接着層にシリカを添加することも提案されている（特開平４−１３１２９７号公報）。
【０００８】
しかしながら、本発明者らが検討したところでは、これら従来技術では、糸引き現象を必ずしも充分に防止できず、さらなる改善が望まれている。
【０００９】
【発明が解決しようとする課題】
本発明は、上記実情に鑑みて、感圧接着層のキレ性の向上された手持ち型の転写式感圧接着テープ転写具を提供することを課題とする。
【００１０】
【課題を解決するための手段】
本発明は、基材上に感圧接着層を有する転写式感圧接着テープを供給するための供給リールと、該感圧接着テープを被転写体に押圧し感圧接着層を転写させるためのヘッドと、転写後の感圧転写層と分離された基材を巻き取るための巻き取りリールとからなる手持ち型の転写式感圧接着テープ転写具において、基材の厚みが５〜３８μｍであり
、基材の両面に厚み０．１〜２μｍの離型層を設け、片面の離型層の上に前記感圧接着層を設け、感圧接着層の厚みが１０〜４０μｍであり、平均粒子径０．３〜２μｍの無機または有機の粒子を１〜９重量％含有することを特徴とする手持ち型の転写式感圧接着テープ転写具を提供する。
【００１１】
【発明の実施の形態】
本発明は、図１に示されるような、基材上に感圧接着層を有する転写式感圧接着テープを供給するための供給リールと、該感圧接着テープを被転写体に押圧し感圧接着層を転写させるためのヘッドと、転写後の感圧転写層と分離された基材を巻き取るための巻き取りリールとからなる手持ち型転写式感圧接着テープ転写具に関する。ただし、図１に示される転写具に限定されるものではない。
【００１２】
本発明は、前記転写式感圧接着テープにおいて、感圧接着層が、平均粒子径０．３〜２μｍの無機または有機の粒子を１重量％以上含有することを特徴とする。本発明においては、感圧接着層に含有させる無機または有機の粒子の平均粒子径を０．３〜２μｍ、好ましくは１〜２μｍという特定の範囲に規定することにより、感圧接着層のキレ性が向上されて糸引き現象が改善され、転写作業が良好になることが見出された。このような構成によりキレ性が向上されるのは、粘着剤中に適度な大きさの粒子が適度に点在することにより、感圧接着層における層内引張り強度が低下するためであると推定されている。添加する粒子の平均粒子径が前記範囲未満では、キレ性が向上されず、一方前記範囲を超えると、粒子を粘着剤中に均一に分散させるのが困難になり、その結果タックが低下し、転写不良が発生する。また、粒子の含有量は１重量％以上は必要であり、より好ましくは２重量％以上である。１重量％未満ではキレ性が向上されない。粒子の含有量の上限値はとくに限定されないが、粒子の含有量が過度に多いと、粒子を粘着剤中に均一に分散させるのが困難になり、その結果タックが低下し、転写不良が発生する傾向がある。この点からは、粒子の含有量は１〜９重量％であるのが好ましい。
【００１３】
感圧接着層に添加される前記無機または有機の粒子の材質としては、無機ではシリカ、ジルコニア、酸化チタンなどが、有機ではメラミン樹脂、高分子量のポリエチレンワックスなどがあげられるが、とくに限定するものではない。これら粒子は単独で使用してもよく、２種以上を併用してもよい。
【００１４】
前記感圧接着層に使用する粘着剤としてはとくに限定されず、たとえばアクリル樹脂系、ロジン系、ゴム系、ビニルエーテル樹脂系、ポリイソブチレン系などの粘着剤が使用できる。これら粘着剤は単独で使用してもよく、２種以上を併用してもよい。感圧接着層の厚さは１０〜４０μｍ程度が適当である。
【００１５】
前記基材としては、有機高分子からなるフィルムや、紙類などが使用できる。有機高分子フィルムの材質としては、ポリエチレンテレフタレート（ＰＥＴ）、ポリプロピレン、ポリエチレン、ポリエチレンナフタレートなどが適当であるが、とくに限定するものではない。また、紙類としては、グラシン紙などがあげられる。基材の厚さは、約５〜１００μｍ程度が好ましい。厚さが５μｍ未満ではリボン状に加工した際、強度が弱く実用上支障をきたす可能性が高く、一方１００μｍより厚くなると、転写具のコンパクト化に支障を来すうえに、加工上で不都合を生じる傾向がある。コンパクト化の点からはとくに３８μｍ以下の厚さの有機高分子フィルムが好ましい。
【００１６】
前記基材の両面には離型層を設ける。感圧接着層側の離型層は、主に、感圧接着層の基材からの剥離性を調整するために設ける。背面側の離型層は、主に、感圧接着テープをロール状に巻き回して保存する際に、感圧接着層が基材背面側に接着する、いわゆるブロッキングを防止するために設ける。離型層に用いる離型剤としては、シリコーン系樹脂、フッ素系樹脂、ワックス類などがあげられるが、一般的にはシリコーン系樹脂が好ましい。離型層の厚さは、０．１〜２μｍ程度である。
【００１７】
【実施例】
つぎに、本発明を実施例をあげてさらに具体的に説明するが、本発明はこれら実施例によって限定されるものではない。
【００１８】
実施例１
厚さ１２μｍのＰＥＴフィルムの両面に下記に示すシリコーン樹脂液を乾燥後の厚さが０．５μｍになるように塗工し、乾燥して離型層を形成した。
【００１９】
0004686688.tif 000002
【００２０】
前記ＰＥＴフィルムの一方の離型層上に下記に示す感圧接着層用塗工液を乾燥後厚さが１５μｍになるように塗工し、乾燥して感圧接着層を形成し、転写式感圧接着テープ原反を得た。
【００２１】
0004686688.tif 000003
【００２２】
つぎに、前記で得られた原反を、幅６ｍｍにスリットしながら１０ｍの長さをコアに巻き取りパンケーキ状のサンプルとした。このパンケーキサンプルを市販の手持ち型の転写具（図１に示す構造を有するもの）に装填し、転写式感圧接着テープ転写具を得た。
【００２３】
実施例２〜４および比較例１〜３
感圧接着層中に含有されるシリカ粒子の平均粒子径、含有量を表１に示す値に変えたほかは実施例１と同様にして転写式感圧接着テープ原反を得、これからパンケーキを作成し、転写具に装着し転写式感圧接着テープ転写具を得た。
【００２４】
得られた転写式感圧接着テープについて、キレ性および転写性を下記の方法で評価した。結果を表１に示す。
【００２５】
＜キレ性の評価＞
前記転写式感圧接着テープ転写具を９．８Ｎの押圧力で被転写体に押しつけながら走行させて感圧転写層を転写した後、図２に示されるように転写具１４を垂直方向に１７ｍｍ／秒の速度で引き上げた際に、粘着剤の糸引き４が生じ、それが切れたときの当該糸引きの長さＬを測定し、下記の基準でキレ性を評価した。被転写紙としてはＰＰＣ用紙を用いた。
【００２６】
キレ性の評価基準
○：糸引きの長さＬ≦５０ｍｍ
△：５０ｍｍ＜糸引きの長さＬ≦１００ｍｍ
×：糸引きの長さＬ＞１００ｍｍ
【００２７】
＜転写性の評価＞
前記転写式感圧接着テープ転写具を被転写体上で所定距離走行させた際に、被転写体である紙の表面に相当する長さの感圧接着層が完全に転写された場合を○、感圧接着層が部分的に転写されない転写不良が生じた場合を×と評価した。被転写体としてはＰＰＣ用紙を用いた。
【００２８】
【表１】
0004686688.tif 000004
【００２９】
【発明の効果】
本発明の手持ち型の転写式感圧接着テープ転写具は、手持ち型の転写具で転写する際に、感圧転写層のキレ性が優れ、糸引き現象が防止されているので、転写作業が良好である。
【図面の簡単な説明】
【図１】本発明の転写式感圧接着テープが使用される手持ち型の転写具の１実施例を示す概略図である。
【図２】本発明の転写式感圧接着テープについてのキレ性の評価試験方法を示す説明図である。
【符号の説明】
１  転写式感圧接着テープ
２  基材
３  感圧接着層
４  糸引き
１０  供給リール
１１  巻き取りリール
１２  ヘッド
１３  被転写体
１４  転写具
【図１】
0004686688.tif 000005
【図２】
0004686688.tif 000006